(57)【要約】【課題】携帯電話端末のユーザの近傍にいる相手に応じて、報知手段の出力状態を、相手毎に予め設定した出力状態に一時的に自動変更できるようにする。【解決手段】ユーザは、携帯電話端末１００内の電話帳等において、相手毎に、着信の報知手段の所望の出力状態を特別マナーモードとして登録しておく。自端末の所定距離範囲内に相手端末のＩＣタグ部１１３が入ったとき、自端末内のＩＣタグリーダ１１４が当該ＩＣタグ部１１３に記憶されているＩＤ情報を読み取る。前記ＩＤ情報に基づいて、そのＩＣタグ部を内蔵した端末を保持する相手と前記特別マナーモードが登録された相手とが一致したことが検出された場合、当該登録された報知手段の出力状態を強制的に設定する。【選択図】図１
2008263287.tif 000002
【特許請求の範囲】
【請求項１】
マナーモードを設定する機能を備えた携帯電話端末であって、
ユーザに対して少なくとも通話またはメール通信の着信を知らせるための報知手段と、
前記報知手段の出力状態を設定する設定手段と、
予め定めた相手毎に前記報知手段の所望の出力状態を特別マナーモードとして登録する登録手段と、
自端末の所定距離範囲内にＩＣタグが入ったとき当該ＩＣタグに記憶されているＩＤ情報を読み取るＩＣタグリーダと、
前記ＩＤ情報に基づいて、そのＩＣタグを保持する相手と前記特別マナーモードが登録された相手とが一致したことが検出された場合、当該登録された前記報知手段の出力状態を強制的に設定するよう前記設定手段を制御する制御手段と
を備えた携帯電話端末。
【請求項２】
前記報知手段は少なくとも振動発生手段である請求項１記載の携帯電話端末。
【請求項３】
前記登録手段は、相手の電話番号およびメールアドレスの少なくとも一方を登録する電話帳データ登録手段であり、必要に応じて相手毎に前記特別マナーモードを登録する請求項１記載の携帯電話端末。
【請求項４】
前記登録手段は、前記報知手段の出力状態の異なる組み合わせである複数のマナーセットを用意し、必要に応じて各マナーセットに対して相手を割り当てて登録する請求項１〜３のいずれかに記載の携帯電話端末。
【請求項５】
前記登録手段は前記特別マナーモードを登録した相手毎に優先度を登録し、
前記制御手段は、前記特別マナーモードが登録された複数の相手の複数のＩＣタグが前記所定距離範囲内に入った場合、前記優先度に従って当該複数の相手について登録された前記報知手段の出力状態の競合を調整する請求項１〜３のいずれかに記載の携帯電話端末。
【請求項６】
前記制御手段は、前記特別マナーモードが登録された複数の相手の複数のＩＣタグが前記所定距離範囲内に入った場合、各報知手段の複数の出力状態の間に予め設定された優先度に従って、当該複数の相手について登録された前記報知手段の出力状態の競合を調整する請求項１〜４のいずれかに記載の携帯電話端末。
【請求項７】
前記設定手段の現在の設定状態を記憶する記憶手段を備え、前記制御手段は、前記ＩＣタグが自端末の所定距離範囲内に入ったとき前記報知手段の現在の出力状態を前記記憶手段に退避するとともに、前記特別マナーモードの出力状態に変更し、その後、前記ＩＣタグが所定距離範囲外に出たとき、前記設定手段による設定を前記退避された出力状態に戻す請求項１〜６のいずれかに記載の携帯電話端末。
【発明の詳細な説明】
【技術分野】
【０００１】
本発明は、マナーモードを設定する機能を備えた携帯電話端末に関する。
【背景技術】
【０００２】
現在、携帯電話端末は、個人のコミュニケーションツールとして広く普及しているが、電車内、図書館、病院等、電話や電子メールの着信音は他者への迷惑であるため、着信音を停止し、代わりにバイブレータによる振動でユーザに着信を知らせる、バイブレータも抑止してＬＥＤの発光のみにする、電波の発生を停止する、等のいずれかの状態とするいわゆるマナーモードが必須の機能として備えられている。
【０００３】
マナーモードは、通常、ユーザが意識して自発的に手動で設定するものであるため、ユーザが気づかない場合には、設定を失念する場合がある。また、失念しない場合にも、必要時にその都度、設定および解除の操作を行う必要があり、面倒である。
【０００４】
このような問題に対して、従来、自動的にマナーモードを設定する技術が提案されている。
【０００５】
例えば、特許文献１には、端末所持者が身に付ける衣服や装身具又は携行品に取り付けられたＩＣタグに対して携帯電話端末から定期的にＩＣタグ検出電波を発信し、１〜２ｍの範囲に存在するＩＣタグから発信される識別信号を検出することで動作モードを切り替える（マナーモードを設定）技術が開示されている。
【０００６】
特許文献２には、ペースメーカに接続されたマナー信号送信機から微弱な電波のマナー信号が送信され、これを受けた携帯電話機は自律的に自動マナーモードを設定し基地局に向けた電波放射を停止する技術が開示されている。
【０００７】
特許文献３には、病院、映画館などの出入口や駅の改札口などにコマンド送信手段を備えることで、携帯電話端末を自動的に強制送受信停止モードあるいは消音モードを設定する技術を開示している。
【特許文献１】特開２００６−９４３９５号公報
【特許文献２】特開２００５−２７７８３７号公報
【特許文献３】特開２００２−２７５５７号公報
【発明の開示】
【発明が解決しようとする課題】
【０００８】
ところで、従来のマナーモードでは、バイブレータＯＮ、ＯＦＦ等、複数の状態の選択肢の中からユーザが所望の状態を選択して設定することができるようになっている。しかし、マナーモードに関する従来の技術ではユーザ自身の周囲に誰がいるかによってマナーモードの設定内容を変更したいような場合に対応することができなかった。
【０００９】
本発明はこのような背景においてなされたものであり、携帯電話端末のユーザの近傍にいる相手に応じて、報知手段の出力状態を、相手毎に予め設定した出力状態に一時的に自動変更できるようにすることを企図する。
【課題を解決するための手段】
【００１０】
本発明による携帯電話端末は、マナーモードを設定する機能を備えた携帯電話端末であって、ユーザに対して少なくとも通話またはメール通信の着信を知らせるための報知手段と、前記報知手段の出力状態を設定する設定手段と、予め定めた相手毎に前記報知手段の所望の出力状態を特別マナーモードとして登録する登録手段と、自端末の所定距離範囲内にＩＣタグが入ったとき当該ＩＣタグに記憶されているＩＤ情報を読み取るＩＣタグリーダと、前記ＩＤ情報に基づいて、そのＩＣタグを保持する相手と前記特別マナーモードが登録された相手とが一致したことが検出された場合、当該登録された前記報知手段の出力状態を強制的に設定するよう前記設定手段を制御する制御手段とを備えたことを特徴とする。
【００１１】
前記所定距離範囲はＩＣタグリーダのＩＣタグに対する通信可能範囲により定まり、ユーザの近傍の範囲である。
【００１２】
この発明により、登録した相手が近傍にいる場合は、報知手段について現在設定されている出力状態に関わらず、自動的にその相手について特別マナーモードで設定された出力状態にする。これにより、一律なマナーモードではなく、相手毎に報知手段の出力状態を個別に設定することができる。
【００１３】
携帯電話端末には元々、相手の電話番号およびメールアドレスの少なくとも一方を登録する電話帳データ登録手段を備えており、前記登録手段としては、この電話帳データ登録手段を用いて、必要に応じて相手毎に前記特別マナーモードを登録することができる。
【００１４】
但し、前記登録手段は、前記報知手段の出力状態の異なる組み合わせである複数のマナーセットを別途用意してもよい。この場合、必要に応じて各マナーセットに対して相手を割り当てて登録する。
【００１５】
前記登録手段は前記特別マナーモードを登録した相手毎に優先度を登録し、前記制御手段は、前記特別マナーモードが登録された複数の相手の複数のＩＣタグが前記所定距離範囲内に入った場合、前記優先度に従って当該複数の相手について登録された前記報知手段の出力状態の競合を調整することができる。
【００１６】
また、前記制御手段は、前記特別マナーモードが登録された複数の相手の複数のＩＣタグが前記所定距離範囲内に入った場合、各報知手段の複数の出力状態の間に予め設定された優先度に従って、当該複数の相手について登録された前記報知手段の出力状態の競合を調整するようにしてもよい。
【００１７】
好ましくは、前記設定手段の現在の設定状態を記憶する記憶手段を備え、前記制御手段は、前記ＩＣタグが自端末の所定距離範囲内に入ったとき前記報知手段の現在の出力状態を前記記憶手段に退避するとともに、前記特別マナーモードの出力状態に変更し、その後、前記ＩＣタグが所定距離範囲外に出たとき、前記設定手段による設定を前記退避された出力状態に戻す。これにより、自動的に切り替えられた出力状態は、その切替が必要な状況から脱したとき、再び元の状態に自動的に切り替えられる。
【発明の効果】
【００１８】
本発明は、着信音を鳴らしてはいけない状況で、マナーモードが不設定だった場合にも自動的に着信音の鳴動を抑止するのみならず、周りにいる人が誰であるかによってマナーモードの内容を異ならせることができる。したがって、相手に応じて、着信音が鳴って欲しくない時に鳴ったり、知られたくない着信を知られたりすることがなくなる。その結果、携帯電話端末に関する人間関係上の不具合を回避することができる。
【発明を実施するための最良の形態】
【００１９】
以下、本発明の好適な実施の形態について図面を参照しながら詳細に説明する。
【００２０】
図１は、本実施の形態に係る携帯電話端末の概略のハードウェア構成を示すブロック図である。
【００２１】
携帯電話端末１００は、バス１２０で相互に接続された、制御部１０１、通信部１０３、表示部１０４、操作部１０５、メモリ１０６、発光部１０７、バイブレータ１０８、音声処理部１１０、ＩＣタグ部１１３、ＩＣタグリーダ１１４、および音声処理部１１０に接続されたスピーカ１１１、マイク１１２を備えている。
【００２２】
制御部１０１は、ＣＰＵ等を含み、携帯電話端末１００の各部を制御する。本発明における登録手段、設定手段は制御部１０１の機能により実現される。
【００２３】
通信部１０３は、ＲＦ部、変調回路等を含み、アンテナ１０２を介して基地局との間で、通話およびメール通信等のための無線通信を行う。
【００２４】
表示部１０４は、ＬＣＤ、有機ＥＬ等の表示デバイスおよび表示駆動回路を有し、テキストや画像等の表示情報の表示を行う。
【００２５】
操作部１０５は、制御キー、テンキー等の各種のキーを有し、ユーザによる指示やデータの入力を受け付ける。
【００２６】
メモリ１０６は、ＲＯＭ，ＲＡＭ等を含み、ＣＰＵが実行するＯＳや各種アプリケーション等のプログラムやデータを記憶する。ＲＯＭには、フラッシュメモリのような再書き込み可能な不揮発性メモリを含みうる。本実施の形態における電話帳データ等もメモリ１０６に記憶される。
【００２７】
発光部１０７は、ＬＥＤ等の発光素子を含み、ユーザに対して光による着信通知等を行う。バイブレータ１０８は、振動によりユーザに電話やメールの着信等を知らせる。音声処理部１１０は、音声のエンコーダ、デコーダ、ＤＡ変換器、ＡＤ変換器等を含み、スピーカ１１１（イヤホン含む）に対する音声出力およびマイクからの音声入力を行う。スピーカ１１１による音の発生、発光部１０７により光の発生、バイブレータ１０８により振動の発生がユーザに対する報知手段を構成する。マナーモード（特別マナーモードを含む）の利用時には、スピーカ１１１による音の発生は抑止され、バイブレータは必要に応じてＯＮまたはＯＦＦが選択される。発光部１０７により光の発生は直接的に他者への迷惑にならないので、通常、マナーモードの設定とは無関係に設定される。
【００２８】
ＩＣタグ部１１３は、情報を記憶するＩＣチップを含み、外部のリーダで無線（電波）により当該ＩＣチップに対して情報が読み出される。当該ＩＣチップ内には、携帯電話端末のユーザを識別することができるＩＤ情報が記憶される。このＩＤ情報は、電話番号、メールアドレス、端末ＩＤ等、相手を識別できる任意のデータである。ＩＣタグは、ＲＤタグ、ＲＦＩＤ、無線タグ等とも呼ばれ、通常、物の管理のために物に付随して利用されるものである。
【００２９】
本実施の形態のＩＣタグ部１１３は、電源の要らないパッシブ型のＩＣタグを想定しているが、携帯電話端末１００の電源を利用すればアクティブ型のものとすることもできる。
【００３０】
ＩＣタグリーダ１１４は、他の携帯電話端末のＩＣタグ部１１３に記憶されたＩＤ情報を無線（電波）により読み出すためのリーダである。本実施の形態では、ユーザ自身の携帯電話端末１００の数メートル以内、好ましくは約１．５メートル以内に相手端末が入ったとき、相手端末のＩＣタグ部１１３を検出する。
【００３１】
なお、近年、電子マネーや電子乗車券として利用できる非接触ＩＣカードやその機能を搭載した携帯電話端末が普及してきている。非接触ＩＣカードも無線（電波）により情報が読み書きできるＩＣチップを内蔵しており、外部のリーダライタで情報の書き込み、読み出しができる点でＩＣタグと類似している。現状の非接触ＩＣカードの通信距離は比較的短いが、本実施の形態の用途における通信距離での検出ができれば、非接触ＩＣカードであってもよい。したがって、本発明における「ＩＣタグ」には非接触ＩＣカードも含むものとする。
【００３２】
図２は、携帯電話端末の電話帳機能の一人の相手の表示画面（登録画面）２００を示している。この画面には、相手の氏名（または名称）２０１、携帯電話番号２０２、携帯電話用メールアドレス２０３、パソコン用メールアドレス２０４、住所２０５、グループ名称２０６、登録画像ファイル２０７、特別マナーモード設定項目２０８、操作ガイド２０９を含んでいる。本実施の形態では、既存の電話帳の登録項目に対して、特別マナーモード設定項目２０８を追加している。当該相手について特別マナーモード設定項目２０８が“ＯＦＦ”であれば、特別マナーモードの「設定なし」、“ＯＮ”であれば特別マナーモードの「設定あり」、となる。ユーザは、この画面から各項目の設定や変更を行うことができる。
【００３３】
図３は、図２の表示画面２００において、特別マナーモード設定項目２０８を選択したときの設定画面３００を示している。この画面は、特別マナーモード設定欄３０１、優先順位設定欄３０２、電話着信時の報知手段の出力状態を選択するメニュー欄３０３、メール着信時の報知手段の出力状態を選択するためのメニュー欄３０４、操作ガイド３０９を含んでいる。特別マナーモード設定欄３０１は、ＯＮまたはＯＦＦを選択的に設定するための入力欄である。この設定欄３０１にＯＮが設定されたときに、以下の欄の設定が可能となる。優先順位設定欄３０２は、特別マナーモードの出力状態が複数の相手について競合する場合の優先度を定めるための入力欄であり、ここでは１０人までの相手に対して１〜１０の優先順位を選択的に設定する例を示している。数字の小さい方が優先度が高い。但し、登録する相手は１０人までに限る必要はない。複数の相手に対して同じ優先順位を割り当てることができるようにしてもよい。その場合、同じ優先順位の相手の出力状態が競合した場合、予め定めた複数の出力状態の間の優先度に応じて設定する出力状態を選択したり、電話帳への登録順にしたがって優先度を判断したりすることが可能である。
【００３４】
メニュー欄３０３およびメニュー欄３０４は、電話およびメールの着信時にユーザに対してその旨を報知するための手段（ここではバイブレータ）の出力状態を選択的に設定するための欄である。メニュー欄３０３およびメニュー欄３０４については、例えば図４に示すように、ユーザがこれらの欄を選択したとき、「バイブレータＯＮ」と「バイブレータＯＦＦ」の選択肢が提示され、いずれかの選択肢を選択して設定することができる。バイブレータはＯＮかＯＦＦかのみ選択できる例を示したが、バイブレータＯＮの場合には、その複数の振動のパターンからいずれかのパターンを選択できるようにしてもよい。また、他の選択肢として電波出力ＯＦＦのような項目を追加してもよい。
【００３５】
上記出力状態の競合調整のための優先度については、上記のような相手毎の優先順位の設定を行う以外の方法も考えられる。その方法の一つは、複数の出力状態自体に相互の間の優先度を予め定めておくものである。これにより、例えば「バイブレータＯＮ」と「バイブレータＯＦＦ」とは「バイブレータＯＦＦ」の方が優先度が高いと予め定めておく。そこで、特別マナーモードが登録された複数の相手、例えばＡさんとＢさんが所定距離範囲内に入っている場合、Ａさんの電話着信が「バイブレータＯＮ」、Ｂさんの電話着信が「バイブレータＯＦＦ」と設定されているとき、「バイブレータＯＦＦ」の方が優先度が高いので、バイブレータはＯＦＦ状態に設定される。このような優先度の設定を採用した場合には、特別マナーモードの設定画面は、図５に示すような画面５００から分かるように、「優先順位」の入力欄が不要となる。
【００３６】
以上の説明では、電話帳データの登録項目の１項目として、相手毎に特別マナーモードの設定を行える例を示した。これに対して、直接的に電話帳データを利用してその中に各相手の設定画面毎に特別マナーモードの設定項目を設けるのではなく、他の設定画面で特別マナーモードの設定を行うようにすることも可能である。例えば、図６に示した画面６００でマナーモードの設定を行うことが可能である。これは、図７（ａ）のマナーセットテーブル７０１に示すように、予め各種通信の種別（電話、メール等）毎に、報知手段の出力状態の異なる組み合わせである複数のマナーセットを用意しておくものである。その後、図７（ｂ）のマナーセット割当テーブル７０２に示すように、必要に応じて各マナーセットに対して相手を割り当てて登録する。１つのマナーセットに対して割り当てる相手の数は０でも１でも複数でも、任意である。この相手の割り当て時には、電話帳データや発信データ、着信データ等を利用することができる。マナーセット割当テーブル７０２に登録する「相手」のデータとしては、電話番号、メールアドレス、端末ＩＤ等、相手を識別できる任意のデータであってよく、好ましくは上記ＩＣタグ部１１３に記憶されるＩＤ情報に対応するものである。
【００３７】
なお、図５の画面５００において、他の報知手段としてのスピーカの発生について設定する入力欄は存在しないが、特別マナーモードでは通常マナーモードと同様に、スピーカは常時ＯＦＦ状態となされる。
【００３８】
図６の画面６００には、特別マナーモード設定欄３０１と同様の特別マナーモード設定欄６０１、マナーセット選択欄６０２、相手指定欄６０３、割当相手表示欄６０４、表示ガイド６０９が設けられている。ユーザは、特別マナーモード設定欄６０１で特別マナーモードを“ＯＮ”に設定した場合、マナーセット選択欄６０２で選択したマナーセットについて、相手指定欄６０３で相手を指定して、当該マナーセットに相手を割り当てることができる。それらの相手（複数可）については割当相手表示欄６０４に表示される。
【００３９】
図８は、本実施の形態における携帯電話端末１００における特別マナーモード関連の処理手順例を示すフローチャートである。
【００４０】
携帯電話端末１００は、周期的に、ＩＣタグリーダ１１４の検出対象のＩＣタグが近傍に存在するか否かをチェックする（Ｓ１０）。本実施の形態では、その通信可能な距離は約１．５ｍである。ＩＣタグを検出したとき（Ｓ１０，Ｙｅｓ）、その相手について特別マナーモードがＯＮに設定されているか否かをチェックする（Ｓ１１）。ＯＮに設定されていれば（Ｓ１１，Ｙｅｓ）、既に他の相手について特別マナーモードが設定されているか否かをチェックする（Ｓ１２）。既に設定されている場合には（Ｓ１２，Ｙｅｓ）、それらの複数の相手について、特別マナーモードの報知手段の出力状態の競合の調整を行う（Ｓ１５）。この競合の調整は、上述したような優先度に基づいて行う。
【００４１】
ステップＳ１２で他の相手について特別マナーモードを設定中でなければ、マナーモード関連の現在の設定内容をメモリ１０６に待避する（Ｓ１３）。特別マナーモードがＯＮに設定されている当該相手について、その設定されている特別マナーモードの内容を確認する（Ｓ１４）。
【００４２】
ステップＳ１４またはステップＳ１５の後、特別マナーモードの設定（既に設定されている場合には必要時にその変更）を行う（Ｓ１６）。
【００４３】
その後、ＩＣタグリーダ１１４の出力にもとづいて、ＩＣタグが通信可能範囲外に出たことが検出されたら（Ｓ１７，Ｙｅｓ）、すべてのＩＣタグが通信可能範囲外に出たか否かをチェックする（Ｓ１８）。そうであれば、特別マナーモードを解除し、先にステップＳ１３で待避したマナーモード関連の設定内容に基づいて、元の状態に復帰させ（Ｓ１９）、ステップＳ１０へ戻る。
【００４４】
ステップＳ１８で通信可能範囲内にあるＩＣタグが残っている場合（Ｓ１８，Ｎｏ）、その検出中のＩＣタグの個数をチェックする（Ｓ２０）。その個数が単一個であれば（Ｓ２０，Ｙｅｓ）、当該相手についての特別マナーモードの内容を確認する（Ｓ２１）。単一でなければ、先のステップＳ１５と同様に複数の相手について競合の調整を行う（Ｓ２２）。
【００４５】
ステップＳ２１またはステップＳ２２の後、特別マナーモードを再設定し（Ｓ２３）、ステップ１０へ戻る。
【００４６】
本実施の形態における特別マナーモードの設定の具体的な例としては、例えば、次のようなものが考えられる。
・上司Ａと話をしている時には、電話・メール着信、共にバイブレータＯＦＦ（サイレント）にする。
・恋人Ｂといる時には電話着信はバイブレータＯＮで、メール着信はバイブレータＯＦＦにする。
・友人Ｃといる時には電話・メール着信を共にバイブレータＯＮにする。
【００４７】
このような特別マナーモードの設定状況で、例えば恋人Ｂと友人Ｃが近傍に居る場合、メール着信について設定された出力状態がバイブレータＯＦＦとＯＮで異なっている。このような場合、図３の例で言えば、優先順位が高く設定されている方の出力状態が選択される。また、図５の例で言えば、予め定められた出力状態同士の間での優先度によってその一方（例えばバイブレータＯＦＦ）が選択される。
【００４８】
通常、バイブレータの振動による着信通知でもその端末の近傍に居る人には認識されるので、相手によってバイブレータをＯＦＦに設定することにより、当該相手についてのみ、着信があったことを認知されないようにすることができる。
【００４９】
以上、本発明の好適な実施の形態について説明したが、上記で言及した以外にも種々の変形、変更を行うことが可能である。
【図面の簡単な説明】
【００５０】
【図１】本発明の実施の形態に係る携帯電話端末の概略のハードウェア構成を示すブロック図である。
【図２】図１の携帯電話端末の電話帳機能の一人の相手の表示画面（登録画面）を示す図である。
【図３】図２の表示画面において、特別マナーモード項目を選択したときの設定画面を示す図である。
【図４】図３の画面におけるメニュー欄をユーザが選択したとき選択肢が提示される様子を示した図である。
【図５】図２の表示画面の変形例を示す図である。
【図６】図２に示した特別マナーモードの設定画面と異なる他の設定方法に関する設定画面を示す図である。
【図７】本発明の実施の形態におけるマナーセットテーブルおよびマナーセット割当テーブルの構成例を示す図である。
【図８】図１に示した携帯電話端末における特別マナーモード関連の処理手順例を示すフローチャートである。
【符号の説明】
【００５１】
１００…携帯電話端末、１０１…制御部、１０２…アンテナ、１０３…通信部、１０４…表示部、１０５…操作部、１０６…メモリ、１０７…発光部、１０８…バイブレータ、１１０…音声処理部、１１１…スピーカ、１１２…マイク、１１３…ＩＣタグ部、１１４…ＩＣタグリーダ、１２０…バス、２００…表示画面、２０２…携帯電話番号、２０３…携帯電話用メールアドレス、２０４…パソコン用メールアドレス、２０５…住所、２０６…グループ名称、２０７…登録画像ファイル、２０８…特別マナーモード設定項目、２０９…操作ガイド、３００…設定画面、３０１…特別マナーモード設定欄、３０２…優先順位設定欄、３０３…メニュー欄、３０４…メニュー欄、３０９…操作ガイド、５００…画面、６００…画面、６０１…特別マナーモード設定欄、６０２…マナーセット選択欄、６０３…相手指定欄、６０４…割当相手表示欄、６０９…表示ガイド、７０１…マナーセットテーブル、７０２…マナーセット割当テーブル
【図１】
2008263287.tif 000003
【図２】
2008263287.tif 000004
【図３】
2008263287.tif 000005
【図４】
2008263287.tif 000006
【図５】
2008263287.tif 000007
【図６】
2008263287.tif 000008
【図７】
2008263287.tif 000009
【図８】
2008263287.tif 000010